(57)【要約】      （修正有）【課題】カード型電池の多様化される電極構造に対して、立体的に対応する。【解決手段】カード型電池載置面７と、その電池載置面７と直交する軸線方向に伸縮する多数の接触電極５を備えた充電電極２と、カード型電池２１の平面部を電池載置面７に合わせて載置した電池２１を、充電電極２に押圧するカード型電池充電装置１において、カード型電池載置面７に設けた凹入部１３と、充電電極２の側縁に合致する側縁に、カード型電池２１の平面部が当接するように、カード型電池２１を凹入部１３に挿入したとき、そのカード型電池２１を電池載置面７に立設状態に支持する、カード型電池立設支持手段と、カード型電池２１における長手方向の長さから、凹入部１３の深さを引いた長さよりも若干大なる距離を移動し、カード型電池２１を電池載置面７に平置きもしくは縦置きいずれに載置しても、カード型電池２１の電極２２を充電電極２に押圧しうる、圧接手段とを設ける。【選択図】図６
2005086943.tif 000002
【特許請求の範囲】
【請求項１】
カード型電池の載置面と、この電池載置面と直交する軸線方向に弾性的に伸縮する多数の接触電極を備える充電電極と、カード型電池の平面部を電池載置面に合わせて載置した電池を、充電電極に押圧する圧接手段とを備えてなるカード型電池充電装置において、
充電電極における長手方向の一側縁に、開口縁の一側縁をほぼ合致させて、カード型電池載置面に設けた凹入部と、
この凹入部における充電電極の側縁に合致する側縁に、カード型電池の平面部が当接するように、カード型電池を凹入部に挿入したとき、そのカード型電池を電池載置面に立設状態に支持するカード型電池立設支持手段と、
カード型電池における長手方向の長さから、凹入部の深さを引いた長さよりも若干大きな距離を弾性的に移動し、カード型電池を電池載置面に平置きもしくは縦置きいずれの状態に載置しても、カード型電池の電極を充電電極に押圧しうるようになっているカード型電池と充電電極の圧接手段
とを備えることを特徴とするカード型電池充電装置。
【請求項２】
カード型電池立設支持手段が、閉止時に電池載置面と同一平面をなして、閉止方向に弾性力が付与された、凹入部の開口部を閉止する蓋である請求項１に記載のカード型電池充電装置。
【発明の詳細な説明】
【技術分野】
【０００１】
本発明は、携帯電話や携帯情報端末等に使用されるカード型電池の充電装置に関する。
【背景技術】
【０００２】
各種の携帯用電子機器の普及に伴い、扁平で薄型のカード型電池が多用されている。
従来、携帯電子機器における電池の充電は、電子機器本体を介して、直接に行われていたが、電子機器からカード型電池を外して、これに充電する充電装置も提供されている。
【０００３】
このカード型電池に直接充電するためには、各種のカード型電池の電極に適応できるように、充電電極を多極構造とし、かつカード型電池載置面に、カード型電池を、その電極面を上向きとし、かつ電極面が充電電極の真下にくるように、平置きにして、カード型電池の上面に、多極構造の充電電極を当接させて充電するようになっている。
【０００４】
なお、上述のような、充電電極を多極構造とした公知の文献は見出されていない。
【発明の開示】
【発明が解決しようとする課題】
【０００５】
携帯用電子機器、特に携帯電話においては、電話器本体の小型軽量化が進むに伴い、カード型電池の普及が著しく、しかも新機種が開発される度に、その機種の形状や仕様に合わせて、電極配置を新規とした、新たな形状のカード型電池が使用されるようになっている。
【０００６】
また、カード型電池の電極構造も多様化し、平面部に電極を備えるもの以外に、幅の狭い側面に電極を設けた形式のカード型電池も、何機種か出現している。
【０００７】
さらに、側面に電極を設けたカード型電池の仕様毎に、電極の配置も異ならせたものもあり、カード型電池はますます多様化しているのが実情である。
【０００８】
本発明は、カード型電池における電極の多様化に対応しうる充電装置を提供することを目的とするもので、カード型電池の電極構造に対し、平面的にだけではなく、立体的にも対応することができ、各種のカード型電池に対して充電を行いうるようにした充電装置を提供することを課題としている。
【課題を解決するための手段】
【０００９】
本発明によると、上記課題は、次に記載の各発明に基づいて解決される。
【００１０】
(１)  カード型電池の載置面と、この電池載置面と直交する軸線方向に弾性的に伸縮する多数の接触電極を備える充電電極と、カード型電池の平面部を電池載置面に合わせて載置した電池を、充電電極に押圧する圧接手段とを備えてなるカード型電池充電装置において、充電電極における長手方向の一側縁に、開口縁の一側縁をほぼ合致させて、カード型電池載置面に設けた凹入部と、この凹入部における充電電極の側縁に合致する側縁に、カード型電池の平面部が当接するように、カード型電池を凹入部に挿入したとき、そのカード型電池を電池載置面に立設状態に支持するカード型電池立設支持手段と、カード型電池における長手方向の長さから、凹入部の深さを引いた長さよりも若干大きな距離を弾性的に移動し、カード型電池を電池載置面に平置きもしくは縦置きいずれの状態に載置しても、カード型電池の電極を充電電極に押圧しうるようになっているカード型電池と充電電極の圧接手段とを備える。
【００１１】
(２)  請求項１の記載において、カード型電池立設支持手段が、閉止時に電池載置面と同一平面をなして、閉止方向に弾性力が付与された、凹入部の開口部を閉止する蓋である。
【発明の効果】
【００１２】
請求項１に記載の発明によると、カード型電池の平面部、もしくは扁平で薄いカード型電池の側面部のいずれの方に電極が設けられている場合でも、充電できる。
【００１３】
請求項２に記載の発明によると、電池載置面にカード型電池を平置きするとき、カード型電池を縦置きするための凹入部に蓋がなされて、電池載置面は平らな面となっているので、平置きするカード型電池のあらゆる姿勢にするのに、凹入部を設けたことが障害にならないとともに、蓋が閉じる際の弾性力を、カード型電池を立設状態に維持する保持力として作用させるので、カード型電池の縦置き装着が簡単であるとともに、カード型電池立設支持手段の構造を簡素化できる。
【発明を実施するための最良の形態】
【００１４】
以下、本発明の実施形態を、添付図面を参照して説明する。
【００１５】
図１〜図５は、本発明の装置の一実施形態を示す。
図１は、本発明に係るカード型電池充電装置(１)を、一部を切欠して示す前方斜視図である。
図２は、図１に示すカード型電池充電装置(１)の中央縦断側面図である。
図３は、図２に示すIII−III線における横断面図である。
図４は、図１に示す充電電極の拡大底面図である。
図５は、図４に示す充電電極のＶ−Ｖ線における拡大縦断面図である。
【００１６】
カード型電池充電装置(１)は、前面開口する箱型ケース(３)に収納されており、そのケース(３)の開口部には、図示を省略した蓋が、開閉自在に取り付けられている。
【００１７】
ケース(３)の上面には、垂直板状の横桟(４)が左右方向に掛け渡されており、横桟(４)の中央には、正面視Ｔ字形の充電電極(２)が、多数の接触電極(５)を下面に突出させて設けられている。
【００１８】
接触電極(５)の直下には、電池載置面(６)を備える電池載置台(７)が、弾性的に上下に移動可能として設けられている。
【００１９】
図２および図３に示す如く、電池載置台(７)は、支持枠(８)の中に、上下に移動自在に収容され、電池載置台(７)の底面(９)とケース(３)の底面(10)の間には、上下方向に弾性力を付与する圧縮ばね(11)が設けられている。
【００２０】
圧縮ばね(11)で押し上げられた電池載置台(７)は、その上面の電池載置面(６)を、充電電極(２)における各接触電極(５)の下端にほぼ接触するまで近設させた状態で、支持枠(８)の後端上部に設けたストッパ(12)で係止するようになっている。
【００２１】
電池載置面(６)には、充電電極(２)の前縁(2a)を、開口部の前縁(13a)とほぼ合致させた下向きの凹入部(13)が設けられている。
凹入部(13)の開口部には、閉止したとき、上面が電池載置面(６)と同一平面となるようにした蓋(14)が設けられている。
【００２２】
図２及び図３に示す如く、蓋(14)の後端両側に設けた耳片(15)(15)は、凹入部(13)における左右壁(13b)(13b)の後方において、左右方向に挿通した軸(16)に枢支され、蓋(14)の前端(14a)は、上下方向に回動自在となっている。
【００２３】
蓋(14)には、耳片(15)(15)の個所において、コイルばね(17)(17)が設けられ、蓋(14)の前端(14a)を、閉止方向に回動するべく弾性力が付与されている。
【００２４】
蓋(14)は、その上面(14b)を電池載置面(６)と同一面としたとき、耳片(15)(15)の後面が凹入部(13)の後壁(13c)に当接して、弾性回転が係止される。
この蓋(14)は、後述するカード型電池を凹入部(13)に挿入したとき、カード型電池を電池載置面に立設状態に支持する支持手段をなしている。
【００２５】
上記電池設置台(７)は、後述するカード型電池を、その長手方向の長さから、凹入部(13)の深さを引いた長さよりも若干大きな距離を弾性的に移動し、カード型電池を、電池載置面(６)に平置きもしくは縦置きいずれの状態に載置しても、カード型電池の電極を充電電極(２)に押圧しうる、カード型電池と充電電極(２)との圧接手段をなしている。
【００２６】
図４に示す如く、充電電極(２)には、左右方向である長手方向に、多数の接触電極(５)が設けられ、これら接触電極(５)は、前後方向にも、３列に並べて設けられている。
【００２７】
図５に示す如く、接触電極(５)は、その触針(19)が筒体(18)の中において、圧縮ばね(20)をもって、軸線方向に弾性的に摺動可能として設けられている。
【００２８】
なお、触針(18)の伸縮距離は、各種のカード型電池(21)に設けられた電極(22)の表面からの深さの、最も深いものに対応させてある。
【００２９】
図６は、カード型電池(21)を、電池載置面(６)に平置きして充電する状態を示す、図２と同様の中央縦断側面図で、下方を一部切欠して示してある。
【００３０】
このカード型電池(21)を、電池載置面(６)に平置きして充電する各種のカード型電池(21)に対応させる状況を、図８の（ａ）〜（ｉ）に示す。
【００３１】
なお、(23)は、電池載置面(６)に左右方向に長く表示した、電極(22)の横方向の並びを合わせる基準線であり、また(24)は、電池載置面(６)の中央前後方向に長く示すとともに、充電電極(２)の前面中央上下に示した、接触電極(５)の極性分離領域を分ける基準線である。
【００３２】
電池載置面(６)に平置きして充電する場合には、電池載置台(７)の前端に手を掛けて、上から押し、予め電池載置面(６)を、カード型電池(21)の厚さより少し多めに下げておき、充電を要するカード型電池(21)の電極(22)の配置に応じて、図８に示すように、カード型電池(21)を電池載置面(６)の上に載せ、ついで静かに手を離して、電極(22)を接触電極(５)に押圧させる。
【００３３】
この際、電極(22)と接触電極(５)が適正な位置で接触すると、充電電極(２)の前面に設けた適正位置表示灯(25)は点灯し、カード型電池(21)が充電される。
【００３４】
図７は、カード型電池(21)を、電池載置面(６)に縦置きして充電する状態を示す、図２と同様の中央縦断側面図である。
【００３５】
このカード型電池(21)を、電池載置面(６)に縦置きして充電する２種類のカード型電池(21)に対応する状況を、図９の（ａ）、（ｂ）に示す。
【００３６】
なお、図示を省略したが、カード型電池(21)の長手方向側面に電極を設けたものについては、長手方向を左右にして、凹入部(13)の中に装着するのは言うまでもない。
【００３７】
カード型電池(21)を凹入部(13)の中に装着するに際して、電池載置台(７)の前端に手を掛けて、上から押して、予め電池載置面(６)を十分に下まで下げておき、その後、カード型電池(21)の下端をもって、蓋(14)の前端(14a)を押し下げながら、カード型電池(21)を凹入部(13)の中に挿入する。
【００３８】
凹入部(13)の中に挿入されたカード型電池(21)は、蓋(14)の前端(14a)をもって、蓋(14)の弾性回動力により、凹入部(13)の前面(13a)に押しつけられ、立設状態で支持される。
【００３９】
その後、静かに手を離して、電極(22)を接触電極(５)に押圧する。
凹入部(13)の前面(13a)は、充電電極(２)の前縁(6a)とほぼ合致させてあるので、接触電極(５)は、カード型電池(21)の側面(21a)と整合して、その側面(21a)に設けた電極(22)と接触する。この際、左右方向の位置が整合していれば、充電電極(２)の前面に設けた適正位置表示灯(25)が点灯し、カード型電池(21)が充電される。
【図面の簡単な説明】
【００４０】
【図１】本発明の一実施形態を示す、カード型電池充電装置の正面左向き一部切欠斜視図である。
【図２】図１におけるカード型電池充電装置の中央縦断側面図である。
【図３】図２におけるIII−III線横断平面図である。
【図４】図１に示す充電電極の拡大底面図である。
【図５】図４におけるＶ−Ｖ線拡大縦断側面図である。
【図６】カード型電池を、電池載置面に平置きして充電する状態を示す、図２と同様の一部切欠中央縦断側面図である。
【図７】カード型電池を、電池載置面に縦置きして充電する状態を示す、図２と同様の中央縦断側面図である。
【図８】平面部に電極を備えた各種のカード型電池を、（ａ）〜（ｉ）に示すように、電池載置面に平置きして充電するようにした、電池載置面と各カード型電池の位置関係を模式的に示す斜視図である。
【図９】側面部に電極を備えた２種類のカード型電池を、（ａ）（ｂ）に示すように、電池載置面に縦置きして充電するようにした、電池載置面と各カード型電池の位置関係を模式的に示す斜視図である。
【符号の説明】
【００４１】
(１)カード型電池充電装置
(２)充電電極
(３)ケース
(４)横桟
(５)接触電極
(６)電池載置面
(７)電池載置台
(８)支持枠
(９)底面
(10)底面
(11)圧縮ばね
(12)ストッパ
(13)凹入部
(13a)前縁
(13b)(13b)左右壁
(13c)後壁
(14)蓋
(14a)前端
(15)耳片
(16)軸
(17)コイルばね
(18)筒体
(20)圧縮ばね
(21)カード型電池
(21a)側面
(22)電極
(23)(24)基準線
(25)適正位置表示灯
【図１】
2005086943.tif 000003
【図２】
2005086943.tif 000004
【図３】
2005086943.tif 000005
【図４】
2005086943.tif 000006
【図５】
2005086943.tif 000007
【図６】
2005086943.tif 000008
【図７】
2005086943.tif 000009
【図８】
2005086943.tif 000010
【図９】
2005086943.tif 000011